(57)【要約】【課題】面白みやわくわく感のある専用の空中風船割り遊戯具を提案する。【解決手段】遠隔操作可能なドローン２に取り付けて使用する空中風船割り遊戯具１であって、前記ドローン２への取付部３を有し且つ風船４を膨らませた状態で収容可能な容器５と、該容器５の外側に設けられる被押圧部６と、該被押圧部６が押圧されることにより前記容器５内の風船４を割るように作用する風船割り部材７と、他のプレーヤーの空中風船割り遊戯具１の被押圧部６に衝突させるための押圧部８と、を備える。【選択図】  図１
2020184656.tif 000002
【特許請求の範囲】
【請求項１】
風船割り遊戯具であって、風船を膨らませた状態で収容可能な容器と、該容器の外側に設けられる被押圧部と、該被押圧部が押圧されることにより前記容器内の風船を割るように作用する風船割り部と、を備えることを特徴とする風船割り遊戯具
【請求項２】
遠隔操作可能なドローンに取り付けて使用する空中風船割り遊戯具であって、前記ドローンへの取付部を有し且つ風船を膨らませた状態で収容可能な容器と、該容器の外側に設けられる被押圧部と、該被押圧部が押圧されることにより前記容器内の風船を割るように作用する風船割り部材と、他のプレーヤーの空中風船割り遊戯具の被押圧部に衝突させるための押圧部と、を備える、空中風船割り遊戯具。
【請求項３】
膨らませていない状態の風船を前記容器内に挿入可能な風船挿入孔が前記容器に設けられている、請求項１又は２に記載の空中風船割り遊戯具。
【請求項４】
前記被押圧部が前記容器の周りに複数配設される、請求項１、２又は３に記載の空中風船割り遊戯具。
【請求項５】
前記風船割り部材が、前記容器内の風船に対して非接触の後退位置へと常時付勢される進退部材であり、前記被押圧部が押圧されることで前記進退部材が前記後退位置から進出して前記容器内の風船を割る、請求項１乃至４に記載の空中風船割り遊戯具。
【請求項６】
前記進退部材の先端部が尖っている、請求項５に記載の空中風船割り遊戯具。
【請求項７】
前記進退部材の先端部に、風船と接触することで風船が割れる物質が保持されている、請求項５に記載の空中風船割り遊戯具。
【請求項８】
前記被押圧部が、横向きの被押圧部と、上向き又は／及び下向きの被押圧部である、請求項１乃至７のいずれか一項に記載の空中風船割り遊戯具。
【請求項９】
前記容器の周囲に水平な環状凸部が設けられ、該環状凸部は前記被押圧部よりも前記容器の外方まで突出しており、前記環状凸部が前記押圧部とされている、請求項１乃至８のいずれか一項に記載の空中風船割り遊戯具。
【請求項１０】
請求項１乃至９のいずれか一項に記載の空中風船割り遊戯具と、該空中風船割り遊戯具を飛行させる遠隔操作可能なドローンと、を備える、遊戯用飛行体。
【請求項１１】
風船割り遊戯具は、台座に取り付けて使用する風船割り遊戯具であって、台座への取付部を有し且つ風船を膨らませた状態で収容可能な容器と、該容器の外側に設けられる被押圧部と、該被押圧部が押圧されることにより前記容器内の風船を割るように作用する風船割り部と、を備える、風船割り遊戯具。
【請求項１２】
膨らませていない状態の風船を前記容器内に挿入可能な風船挿入孔が前記容器に設けられている、請求項１１に記載の風船割り遊戯具。
【請求項１３】
前記被押圧部が前記容器の周りに複数配設される、請求項１１又は１２に記載の風船割り遊戯具。
【請求項１４】
前記風船割り部材が、前記容器内の風船に対して非接触の後退位置へと常時付勢される進退部材であり、前記被押圧部が押圧されることで前記進退部材が前記後退位置から進出して前記容器内の風船を割る、請求項１１，１２又は１３に記載の風船割り遊戯具。
【請求項１５】
前記進退部材の先端部が尖っている、請求項１４に記載の風船割り遊戯具。
【請求項１６】
前記進退部材の先端部に、風船と接触することで風船が割れる物質が保持されている、請求項１４に記載の風船割り遊戯具。
【請求項１７】
請求項１１乃至１６のいずれか一項に記載の風船割り遊戯具と、該風船割り遊戯具を飛行させる遠隔操作可能なドローンと、を備える、遊戯体飛行体。
【請求項１８】
請求項１１〜請求項１６に記載の風船割り遊戯具又は請求項１７の遊戯用飛行体の被押圧部に、遊戯用飛行体の押圧部を衝突させることで、前記被押圧部が押圧されることにより前記風船割り遊戯具の前記容器内に収容された風船を割る、風船割り遊戯具の遊戯方法。
【発明の詳細な説明】
【技術分野】
【０００１】
本発明は、プレーヤー同士がドローンを遠隔操作しながら空中で風船割りゲームを楽しむことができる空中風船割り遊戯具及び遊戯用飛行体、台座に取り付けた風船を割る風船割り遊戯具、風船割り遊戯方法に関するものである。
【背景技術】
【０００２】
遠隔操作により無人で飛行可能なマルチコプターの一種として、趣味として楽しむためのホビー用のドローンがある。このドローンを用いた競技又は遊戯の一種として、風船を取り付けた複数のドローンで空中戦を行い、相手方の風船を先に割ることを競うゲームが知られている。
【発明の概要】
【発明が解決しようとする課題】
【０００３】
しかしながら、ドローンを用いて風船を割るのに適した専用の空中風船割り遊戯具や台座に取り付けた風船を割る風船割り遊戯具は、未だ提供されていない。風船は必ずしもドローンに取り付けられて、空中で割られる必要もない。【０００４】
そこで、本発明は、面白みやわくわく感のある専用の空中風船割り遊戯具、台座に取り付けた風船を割る風船割り遊戯具を提案しようとするものである。【０００５】
本発明は、また、空中風船割り遊戯具を有する遊戯用飛行体や台座に取り付けた風船割り遊戯具を有する遊戯用飛行体を提供しようとするものである。【０００６】
本発明は、また、面白みやわくわく感のある風船割り遊戯方法を提供しようとするものである。
【課題を解決するための手段】
【０００７】
前記課題を解決するため、請求項１の本発明に係る風船割り遊戯具は、風船を膨らませた状態で収容可能な容器と、該容器の外側に設けられる被押圧部と、該被押圧部が押圧されることにより前記容器内の風船を割るように作用する風船割り部と、を備えることを特徴とする。【０００８】
前記課題を解決するため、請求項２の本発明に係る空中風船割り遊戯具は、遠隔操作可能なドローンに取り付けて使用する空中風船割り遊戯具であって、前記ドローンへの取付部を有し且つ風船を膨らませた状態で収容可能な容器と、該容器の外側に設けられる被押圧部と、該被押圧部が押圧されることにより前記容器内の風船を割るように作用する風船割り部材と、他のプレーヤーの空中風船割り遊戯具の被押圧部に衝突させるための押圧部と、を備えることを特徴とする。【０００９】
請求項２の本発明によれば、複数のプレーヤーが各自、空中風船割り遊戯具を取り付けた状態でドローンを飛ばし、他のプレーヤーに自分の風船を割られないように防御しつつ他のプレーヤーの風船を割るように自分のドローンを遠隔操作して、空中で風船割りを競うことができる。すなわち、各プレーヤーは、自分の押圧部を他のプレーヤーの被押圧部に衝突させるように、且つ、自分の被押圧部が他のプレーヤーの押圧部で押圧されないように、ドローンを制御する。自分の押圧部が他のプレーヤーの被押圧部に当たれば、他のプレーヤーの風船割り部材が作用して当該他のプレーヤーの風船が割れる。【００１０】
請求項３の本発明に係る空中風船割り遊戯具は、請求項１又は２のものにおいて、膨らませていない状態の風船を前記容器内に挿入可能な風船挿入孔が前記容器に設けられていることを特徴とする。【００１１】
請求項３の本発明によれば、膨らませていない状態の風船を風船挿入孔から容器内へと挿入し、容器の外側から空気を供給して風船を膨らませることで、膨らませた状態の風船を容器内に配置することができる。なお、この場合、風船には、空気の流入のみを許容する逆止弁を装着しておくと便利である。【００１２】
請求項４の本発明に係る空中風船割り遊戯具は、請求項１、２又は３のものにおいて、前記被押圧部が前記容器の周りに複数配設されることを特徴とする。【００１３】
請求項４の本発明によれば、被押圧部が容器の周りに複数配設されるので、被押圧部が単数の場合に比べて防御の難易度が上がり、競技性が向上する。被押圧部の配設数を多くすればするほど防御の難易度が上がる。【００１４】
請求項５の本発明に係る空中風船割り遊戯具は、請求項１乃至４のものにおいて、前記風船割り部材が、前記容器内の風船に対して非接触の後退位置へと常時付勢される進退部材であり、前記被押圧部が押圧されることで前記進退部材が前記後退位置から進出して前記容器内の風船を割ることを特徴とする。【００１５】
請求項６の本発明に係る空中風船割り遊戯具は、請求項５のものにおいて、前記進退部材の先端部が尖っていることを特徴とする。【００１６】
請求項７の本発明に係る空中風船割り遊戯具は、請求項５のものにおいて、前記進退部材の先端部に、風船と接触することで風船が割れる物質が保持されていることを特徴とする。【００１７】
請求項５，６又は７の本発明は、風船割り部材の具体例を提示するものである。【００１８】
請求項８の本発明に係る空中風船割り遊戯具は、請求項１乃至７のいずれか一項に記載のものにおいて、前記被押圧部が、横向きの被押圧部と、上向き又は／及び下向きの被押圧部であることを特徴とする。【００１９】
請求項８の本発明によれば、前記被押圧部を横からだけでなく、上から又は／及び下からも押圧することができるので、プレーヤーの攻防が多様化し、プレーの面白さが向上する。【００２０】
請求項９の本発明に係る空中風船割り遊戯具は、請求項１乃至８いずれか一項に記載のものにおいて、前記容器の周囲に水平な環状凸部が設けられ、該環状凸部は前記被押圧部よりも前記容器の外方まで突出しており、前記環状凸部が前記押圧部とされていることを特徴とする。【００２１】
請求項９の本発明は、押圧部の具体的な態様を例示したものである。【００２２】
請求項１０の本発明に係る遊戯用飛行体は、請求項１乃至９のいずれか一項に記載の空中風船割り遊戯具と、該空中風船割り遊戯具を飛行させる遠隔操作可能なドローンと、を備えることを特徴とする。【００２３】
請求項１０の本発明によれば、請求項１乃至８のいずれかに記載の空中風船割り遊戯具と同様の作用効果が奏される。【００２４】
請求項１１の本発明に係る風船割り遊戯具は、台座に取り付けて使用する風船割り遊戯具であって、台座への取付部を有し且つ風船を膨らませた状態で収容可能な容器と、該容器の外側に設けられる被押圧部と、該被押圧部が押圧されることにより前記容器内の風船を割るように作用する風船割り部と、を備えることを特徴とする。【００２５】
請求項１１の本発明によれば、複数のプレーヤーが各自、ドローンを飛ばし、自分のドローンを遠隔操作して、他のプレーヤーより先に、台座に取り付けられた風船割り遊戯体具に収容されている風船を割る早さを競うことができる。すなわち、各プレーヤーは、自分のドローンを台座に取り付けられた風船割り遊戯具の被押圧部に衝突させるようにドローンを制御する。自分のドローンが風船割り遊戯具の被押圧部に当たれば、風船割り部材が作用して台座に取り付けられた風船割り遊戯具に収容された風船が割れる。【００２６】
請求項１２の本発明に係る風船割り遊戯具は、請求項１１のものにおいて、膨らませていない状態の風船を前記容器内に挿入可能な風船挿入孔が前記容器に設けられていることを特徴とする。【００２７】
請求項１２の本発明によれば、膨らませていない状態の風船を風船挿入孔から容器内へと挿入し、容器の外側から空気を供給して風船を膨らませることで、膨らませた状態の風船を容器内に配置することができる。なお、この場合、風船には、空気の流入のみを許容する逆止弁を装着しておくと便利である。【００２８】
請求項１３の本発明に係る風船割り遊戯具は、請求項１１又は１２のものにおいて、前記被押圧部が前記容器の周りに複数配設されることを特徴とする。【００２９】
請求項１３の本発明によれば、被押圧部が容器の周りに複数配設されるので、被押圧部が単数の場合に比べて防御の難易度が上がり、競技性が向上する。被押圧部の配設数を多くすればするほど防御の難易度が上がる。【００３０】
請求項１４の本発明に係る風船割り遊戯具は、請求項１１，１２又は１３のものにおいて、前記風船割り部材が、前記容器内の風船に対して非接触の後退位置へと常時付勢される進退部材であり、前記被押圧部が押圧されることで前記進退部材が前記後退位置から進出して前記容器内の風船を割ることを特徴とする。【００３１】
請求項１５の本発明に係る風船割り遊戯は、請求項１４のものにおいて、前記進退部材の先端部が尖っていることを特徴とする。【００３２】
請求項１６の本発明に係る風船割り遊戯具は、請求項１４のものにおいて、前記進退部材の先端部に、風船と接触することで風船が割れる物質が保持されていることを特徴とする。【００３３】
請求項１４，１５又は１６の本発明は、風船割り部の具体例を提示するものである。【００３４】
請求項１７の本発明に係る遊戯用飛行体は、請求項１１乃至１５のいずれか一項に記載の風船割り遊戯具と、該風船割り遊戯具を飛行させる遠隔操作可能なドローンと、を備えることを特徴とする。【００３５】
請求項１７の本発明によれば、請求項１１乃至１５のいずれかに記載の風船割り遊戯具と同様の作用効果が奏される。【００３６】
請求項１８の本発明に係る風船割り遊戯具の遊戯方法は、請求項１１〜請求項１６に記載の風船割り遊戯具又は請求項１７の遊戯用飛行体の被押圧部に、遊戯用飛行体の押圧部を衝突させることで、前記被押圧部が押圧されることにより前記風船割り遊戯具の前記容器内に収容された風船を割る、ことを特徴とする。
【図面の簡単な説明】
【００３７】
【図１】本発明の実施の一形態に係る空中風船割り遊戯具を有する飛行体の一部切欠き正面図である。
【図２】図１の平面図である。
【図３】図１の筒体の別例の断面図である。
【図４】図１の風船割り部材の別例の側面図である。
【図５】図１の空中風船割り遊戯具の別例の正面図である。
【図６】図５のＶＩ−ＶＩ矢視平面図である。
【図７】本発明の実施の一形態に係る風船割り遊戯具の斜視図である。
【図８】図７の風船割り遊戯具の風船割り部の拡大表面斜視図である。
【図９】図７の風船割り遊戯具の風船割り部の拡大裏面斜視図である。
【図１０】図７の風船割り遊戯具の風船割り部の表面が押された場合の、風船割り部の拡大裏面斜視図である。
【図１１】本発明の実施の別の形態に係る風船割り部の正面図である。
【図１２】図１１の風船割り部の平面図である。
【図１３】本発明の別の形態に係る風船割り部の正面図である。
【図１４】本発明の実施の一形態に係る風船割り遊戯方法の説明図である。
【図１５】本発明の実施の一形態に係る風船割り遊戯方法の説明図である。
【発明を実施するための形態】
【００３８】
以下、添付図面を参照して、本発明の実施の形態について説明する。
【００３９】
本発明に係る風船割り遊戯具は、風船を膨らませた状態で収容可能な容器と、該容器の外側に設けられる被押圧部と、該被押圧部が押圧されることにより前記容器内の風船を割るように作用する風船割り部と、を備える。
【００４０】
本発明に係る空中風船割り遊戯具は、複数のプレーヤーが各自、空中風船割り遊戯具を取り付けた状態でドローンを飛ばし、他のプレーヤーに自分の風船を割られないように防御しつつ他のプレーヤーの風船を割るように自分のドローンを遠隔操作して、空中で風船割りを競う遊戯具である。
【００４１】
図１に示すように、本発明の実施の一形態に係る空中風船割り遊戯具１は、遠隔操作可能なドローン２に取り付けて使用される。ドローン２は、遠隔操作により無人で飛行可能なマルチコプターとして公知である。ドローンには使用目的に応じて各種のものがあるが、本発明の空中風船割り遊戯具は、ドローンを遠隔操作しながら空中での風船割りを競うものであるから、ドローンの中でも特に、趣味として楽しむためのホビー用のドローンが適している。
【００４２】
図１の空中風船割り遊戯具１は、ドローン２への取付部３を有し且つ風船４を膨らませた状態で収容可能な容器５と、この容器５の外側に設けられる被押圧部６と、この被押圧部６が押圧されることにより容器５内の風船を割るように作用する風船割り部材７と、他のプレーヤーの空中風船割り遊戯具１の被押圧部６に衝突させるための押圧部８と、を備える。
【００４３】
複数のプレーヤーが各自、空中風船割り遊戯具１を取り付けた状態でドローン２を飛ばし、他のプレーヤーに自分の風船４を割られないように防御しつつ他のプレーヤーの風船４を割るように自分のドローン２を遠隔操作して、空中で風船割りを競う。すなわち、各プレーヤーは、自分の押圧部８を他のプレーヤーの被押圧部６に衝突させるように、且つ、自分の被押圧部６が他のプレーヤーの押圧部８で押圧されないように、ドローン２を遠隔操作する。自分の押圧部８が他のプレーヤーの被押圧部６に当たれば、他のプレーヤーの風船割り部材７が作用して当該他のプレーヤーの風船４が割れる。
【００４４】
容器５は、風船４を膨らませた状態で収容するものであり、ドローン２による空中移送に適するように、合成樹脂等の軽量な材料で形成される。また、容器５は、空中での他のプレーヤーの空中風船割り遊戯具１との衝突を前提としているので、その衝撃に耐え得る強度を要する。
【００４５】
容器５は、取付部３によってドローン２に取り付けられる。ドローン２への取付部３は、ドローン２への取付状態において容器５がドローン２の安定的な飛行の障害にならないように、容器５がドローン２の下方の中央に位置し、ドローン２との相対位置が常に一定に維持される取付部であるのが好ましい。ドローン２への取付の方法としては、ねじ止め式や嵌合式等、適宜の方法を採用できる。
【００４６】
容器５の形状は、多面体であってもよいし、球体や楕円体であってもよいが、膨らんだ状態で収容される風船４との適合性が良い形状とする。図示例では球体の容器とされている。容器５は、内部の風船４が外から見えるように、網目状又は格子状の容器や、透明な容器とするのが好ましい。
【００４７】
図１の容器５には、膨らませていない状態の風船を容器５内に挿入可能な風船挿入孔１０が設けられている。この風船挿入孔１０から、膨らませていない状態の風船４を容器５内へと挿入し、容器５の外側から空気を供給して風船４を膨らませることで、膨らませた状態の風船４を容器５内に配置することができる。なお、この場合、風船４の給気口４ａには、空気の流入のみを許容する逆止弁４ｂを装着しておくと便利である。風船４は、容器５内で膨らむことで容器５の内面に密着し、容器５の内面形状に沿った形状となる。
【００４８】
なお、図示は省略しているが、他の態様の容器として、二つの容器半体の開閉可能な結合により形成される容器とすることもできる。この場合には、膨らませた風船を二つの容器半体で包むようにして容器半体同士を結合させればよい。この方法によっても、膨らませた風船を、容器の内面に密着し容器の内面形状に沿った形状にさせることができる。但し、図１のように、風船挿入孔１０から容器５内に風船４を入れ、容器５内で風船４を膨らませる方が、風船４を容器５の内面形状に沿った形状にさせ易いので好適である。
【００４９】
容器５の外側には、ばね１１を内蔵した伸縮可能な筒体１２が固着されている。
ばね１１の外端部は板状の蓋体６に固着され、この蓋体６が筒体１２の外端部（容器５の中心から遠い側の端部）に固着されている。筒体１２の内端部（容器５の中心に近い側の端部）は、容器５の外表面に固着されている。被押圧部としての蓋体６が容器５に近づく方向へ押されるとばね１２が縮んで筒体１２が収縮状態へと移行し、蓋体６の押圧が解除されるとばね１２の付勢力によって筒体１２が元の伸長状態へと復帰する。筒体１２の伸縮可能な構成の具体例としては、図１に示すように、筒体１２を伸縮可能な蛇腹で形成することの他、図３に示すように、伸縮可能且つ抜け落ち不能に嵌合する内筒１２ａと外筒１２ｂとで筒体１２を形成すること等が挙げられる。
【００５０】
図１及び図３において、被押圧部としての蓋体６が押されて筒体１２とばね１１とが収縮すると、風船割り部材７が容器５内の風船４を割るように作用する。風船割り部材７としては、容器５内の風船４に対して非接触の後退位置（図１及び図３に示す位置）へと常時付勢される進退部材７を採用することができる。この進退部材７は筒体１２内に配設される。進退部材７の後端部７ａは蓋体６に接続され、先端部７ｂは尖っている。蓋体６が押圧されることで進退部材７が後退位置から進出し、尖った先端部７ｂが容器５の孔５ａを貫通して容器５内の風船４を割る。蓋体６の押圧が解除されると、ばね１１の付勢力によって進退部材７が元の後退位置へと復帰する。
【００５１】
進退部材７は、先端部７ｂが尖っている態様に代えて、風船４と接触することで風船４が割れる物質が先端部に保持されている態様とすることもできる。具体的には、例えば図４に示すように、風船４に接触すると風船４が割れるオイル等の液体を含ませたスポンジ７ｃを先端部に備える進退部材とすることができる。また、進退部材７は、ヤスリ、ナイロン、鉄線のワイヤ、釣り糸であってもよい。
【００５２】
図１及び図２に示すように、被押圧部としての蓋体６は、容器５の周りに複数配設されることが好ましい。このようにすれば、被押圧部６が単数の場合に比べて防御の難易度が上がり、競技性が向上するからである。被押圧部６の配設数を多くすればするほど防御の難易度が上がる。
【００５３】
他のプレーヤーの風船４を割るための押圧部８は、空中風船割り遊戯具１の内の被押圧部６以外の部位である。容器５の外表面の大部分が押圧部８となる。各プレーヤーは、自分の蓋体６以外の部位（押圧部８）を他のプレーヤーの蓋体６（被押圧部）に衝突させるようにドローン２を遠隔操作する。
【００５４】
なお、図１に二点鎖線で示すように、容器５とドローン２との間に適宜のクッション材等からなる追加部材９を配設すれば、この追加部材９も他のプレーヤーの風船４を割るための押圧部として機能する。
【００５５】
限定はされないが、図１及び図２の例では、球状の容器５の上下方向の中央位置の水平方向の外周上に９０度の角度間隔をおいて三つの被押圧部６を設け、容器５の表面の内、三つの被押圧部６とは反対側の１８０度の角度範囲を、主たる押圧部８としている。
【００５６】
容器５上における押圧部８と被押圧部６の配設態様（配設位置や配設量）を種々工夫することで、風船割り競技の難易度を変化させることができる。
【００５７】
例えば、容器５上における押圧部８と被押圧部６の配設態様の別例として、図５及び図６に示す実施の形態を採用することもできる。この実施の形態では、容器５の形状が、球体を上下方向に引き延ばした形状とされ、容器５の上下方向の中央位置の水平方向の外周上に、環状凸部１３が設けられている。この環状凸部１３が押圧部となる。容器５と環状凸部１３とを合わせた全体の形状は、上下に延ばした球体に浮き輪を嵌めたような形状である。環状凸部１３の上下の半球状容器１４上には、それぞれ、水平方向の外周上に９０度の角度間隔をおいて四つの被押圧部６が配設されている。環状凸部１３は被押圧部６よりも外方まで突出している。なお、図５及び図６において、図１及び図２と同一又は均等な部材又は要素には、図１及び図２と同じ符号を付してある。
【００５８】
図５及び図６の実施の形態によれば、図１及び図２の実施の形態とは異なる難易度の風船割り競技が楽しめる。
【００５９】
以上の例は、いずれも、被押圧部６をドローン２の下方に位置する容器５の側面に横向きに配設（すなわち、筒体１２が水平方向に延びるように配設）した例である。この場合、相手のドローン２の下に逃げ込むことで相手の攻撃を簡単にかわすことができるので、競技の面白みが不十分となることも予想される。そこで、図１及び図２に二点鎖線で示すように、被押圧部６をドローン２の上方に上向きに配設（すなわち、筒体１２が上下方向に延びるように配設）することもできる。このようにすれば、自分のドローン２の下に相手のドローン２が逃げ込んだ場合に、相手の上向きの被押圧部６に対して上から攻撃を加えることができるので、競技の面白さが向上する。この場合には、容器５の下面が、相手の上向きの被押圧部６を攻撃するための押圧部８となる。
【００６０】
なお、上向きの被押圧部６は、図２に示すようにドローン２の中央部に配設し、図１に示すように、進退部材７をドローン２と取付部３とを貫通させて配設すればよい。
【００６１】
図５に二点鎖線で示すように、容器５の下面に下向きの被押圧部６を設けることもできる。このようにすれば、自分のドローン２の上方に相手のドローン２が逃げた場合に、相手の下向きの被押圧部６に対して下から攻撃を加えることができる。この場合には、ドローン６の上部に上向きの突出部を追加的に配設し、この突出部を、相手の下向きの被押圧部６を攻撃するための押圧部８とすればよい。
なお、図１〜図６において、被押圧部６は、容器に対して上向け、下向き、横向きに設けられているが、これに限定されず、斜め方向に設けられてもよい。
また、進退部材７は筒体１２と平行方向で蓋体６と垂直となるように設置されているが、これに限定されず、蓋体６から斜め方向に設置されてもよい。
【００６２】
本発明の空中風船割り遊戯具１は、それ自体を販売し、使用者自身が既存のドローン２に取り付けて使用するという販売及び使用形態をとることもできるし、ドローン２に取り付けた状態で遊戯用飛行体として販売することもできる。
【００６３】
図７では、図１〜６とは異なる風船割り遊戯具２２について、説明する。
図７は、風船割り遊戯具２２の拡大図である。
【００６４】
風船割り遊戯具２２は、風船４０を膨らませた状態で収容可能な容器（ベルト２３）を有する。
【００６５】
風船割り遊戯具２２は、後述する風船固定棒２１やドローン５００への取付部３０を有する。
【００６６】
ベルト２３は、風船４０を膨らませた状態で、風船４０を固定するものである。合成樹脂等の軽量な材料で形成されている。
【００６７】
図７では、２本のベルト２３を用いて風船を固定している。しかし、１本のベルト２３で風船を固定してもよいし、３本以上のベルト２３を用いてよい。
【００６８】
ベルト２３には、風船を導入する風船取付穴５０が設けられている。図７では、２本のベルト２３が交差する箇所に、風船取付穴５０が設けられている。
【００６９】
この風船取付穴５０から、風船４０を導入し、空気導入ポンプを使用して風船を膨らませる。また、口で空気を吹き込んで、風船４０を膨らませてもよい。
なお、風船割り遊戯具２２として、ベルト２３ではなく、膨らんだ状態で風船４０を収容できる、多面体形状、球体形状、楕円体形状の容器を用いてもよい。この容器は、内部の風船が外から見えるように、網目状又は格子状の容器や、透明な容器とするのが好ましい。
【００７０】
ベルト２３には、当該ベルトの外側に設けられる被押圧部２４と、該被押圧部が押圧されることにより前記容器内の風船を割るように作用する風船割り部材２５からなる風船割り部６０が設けられている。
【００７１】
図７では１本のバンド２３に２つの風船割り部６０が設けられている（図ではもう１つの風船割り部６０が見えない）。しかし、１本のバンド２３に１つだけ風船割り部６０を設けてもよいし、３つ以上の風船割り部材６０を設けてもよい。
【００７２】
図８〜図１０は、風船割り部６０（被押圧部２４、風船割り部材２５）の一態様の説明図である。
【００７３】
図８は、風船割り部６０の被押圧部２４の拡大図である。被押圧部２４は、弾性体（具体的にはシリコンゴム）で形成されている。なお、外力を与えると変形するが、高い内部応力によって形状が復元されるものであれば、弾性体（ゴム）には、限定されない。
【００７４】
図８では、板状の基部と基部の上の第１層部と第１層部の上に第２層部で被押圧部２４が構成されている。
【００７５】
図８は、被押圧部２４の表面であり、図９は被押圧部２４の裏面（図８を１８０度回転させた図面である。
【００７６】
被押圧部２４の裏面は、前記第１層部と前記第２層部の形状に沿って空洞になっている。
【００７７】
被押圧部２４の裏面の空洞内部には風船割り部材２５（進退部材）が設けられている。
【００７８】
図９の風船割り部材２５（進退部材）は、複数本のナイロンを用いている。なお、ナイロンの代わりに複数本の鉄線のワイヤ、複数本の釣り糸を用いてもよい。
【００７９】
また、１本のナイロン、鉄線のワイヤ、ナイロンも用いてもよい。
また、風船割り部材２５として、図１に記載のような先端部７が尖っている針を用いてもよい。この針は、１本ではなく複数本でもよい。
【００８０】
図８の被押圧部２４の表面２４Ａが押される（外力を与える）と被押圧部２４が変形し、風船割り部材２５（進退部材）がバンド２３で固定された風船４０の方向に飛び出して風船４０を割るように作用する（図７、図１０参照）。
【００８１】
被押圧部２４の押圧が解除されると、被押圧部２４は応力により元の状態へと復帰する。
【００８２】
図１１では、風船割り部６００の別の形態（被押圧部２４０、風船割り部材２５０）を説明する。
【００８３】
風船割り部６００は、被押圧部２４０を構成するシリコンゴムからなるシリコンスイッチ２７０と当該シリコンスイッチ２７０の一方（ベルト２３０から離れる方向）に設けられた板上の蓋体２８０と、シリコンスイッチ２７０の内部に設けられた風船割り部材２５０（進退部材）を有する。
【００８４】
シリコンスイッチ２７０は、筒状や台形状でもよく、内部に風船割り部材２５０を設置できればよい。
【００８５】
風船割り部６００は、ベルト２３０に設けられている。ベルト２３０には、風船割り部材２５０（進退部材）が風船を割ることができるように孔２３０Ａが設けられている。
図１２は、風船割り部材６００とベルト２３０の平面図である。
【００８６】
風船割り部６００の蓋体２８０が押される（外力を与える）と風船割り部６００のシリコンスイッチ２７０が変形し、風船割り部材２５０（進退部材）がベルト２２０に設けられた孔２２０Ａを貫通してバンド２２０で固定された風船を割るように作用する。
【００８７】
蓋体２８０への押圧が解除されると、シリコンスイッチ２７０は応力により元の状態へと復帰する。
【００８８】
図１１の風船割り部材２５０（進退部材）は、先端の尖った複数本の針を用いているが、１本の針を用いてもよい。
また、針の代わりに１本または複数本のナイロン、鉄線のワイヤ、ナイロンも用いてもよい。
【００８９】
図１３では、風船割り部の別の形態（風船割り部７００）を説明する。
【００９０】
風船割り部７００は、被押圧部３４０を該当する板状の蓋体３８０と当該蓋体３８０とベルト３３０の間を繋ぐ筒体３７０と、筒体３７０の内部に設けられたばね３９０と風船割り部材３５０（進退部材）を有する。
【００９１】
風船割り部７００は、ベルト３３０に設けられている。ベルト３３０には、風船割り部材３５０（進退部材）が風船を割ることができるように孔３３０Ａが設けられている。
【００９２】
ばね３９０の外端部は板状の蓋体３８０に固着され、この蓋体３８０が筒体３７０の一端（ベルト３２０から離れる側の端部）に固着されている。筒体３７０の他端（ベルト３２０に近い側の端部）は、ベルト３３０の外表面に固着されている。被押圧部３４０としての蓋体３８０がベルト３３０に近づく方向へ押されるとばね３９０が縮んで筒体３７０が収縮状態へと移行し、蓋体３８０の押圧が解除されるとばね３９０の付勢力によって筒体３７０が元の伸長状態へと復帰する。筒体３７０の伸縮可能な構成の具体例としては、図１に示すように、筒体３７０を伸縮可能な蛇腹で形成することの他、図３に示すように、伸縮可能且つ抜け落ち不能に嵌合する内筒と外筒とで筒体３７０を形成すること等が挙げられる。
【００９３】
被押圧部３４０としての蓋体３８０が押されて筒体３７０とばね３９０とが収縮すると、風船割り部材３５０（進退部材）がベルト３３０内の風船を割るように作用する。風船割り部材３５０（進退部材）は、ベルト３３０内の風船に対して非接触の後退位置へと常時付勢される部材を採用することができる。
【００９４】
この風船割り部材３５０（進退部材）は筒体３７０内に配設される。進退部材３６０の一端は蓋体３８０に接続され、他端の先端部３５０Ａは尖っている。
【００９５】
蓋体３８０が押圧されることで風船割り部材３５０（進退部材）が後退位置から進出し、尖った先端部３５０Ａがベルト３２０の孔３２０Ａを貫通してベルト３２０内の風船を割る。蓋体３８０の押圧が解除されると、ばね３９０の付勢力によって風船割り部材３５０（進退部材）が元の後退位置へと復帰する。
【００９６】
図１３の風船割り部材３５０（進退部材）は、先端の尖った１本の針を用いているが、複数本の本の針を用いてもよい。
また、針の代わりに１本または複数本のナイロン、鉄線のワイヤ、ナイロンも用いてもよい。
【００９７】
なお、風船と接触することで風船が割れる物質が先端部に保持されている態様とすることもできる。具体的には、例えば図４に示すように、風船４に接触すると風船４が割れるオイル等の液体を含ませたスポンジ７ｃを先端部に備える進退部材とすることができる。
【００９８】
なお、図７〜図１３において、被押圧部６は、容器（ベルト）に対して横向きに設けられているが、これに限定されず、斜め方向に設けてもよい。
また、進退部材７は被押圧部と垂直となるように設置されてているが、これに限定されず、被押圧部から斜め方向に設置されていてもよい
【００９９】
本発明の風船割り遊戯具２２は、それ自体を販売し、使用者自身が既存のドローン２に取り付けて使用するという販売及び使用形態をとることもできるし、ドローン２に取り付けた状態で遊戯用飛行体として販売することもできる。
【０１００】
図１４〜１５で、風船割り遊戯方法を説明する。
【０１０１】
図１４では、風船固定部１５について説明する。風船固定部１５は、長方形の固定台２０を有する。固定台２０は、家の中の床や机の上、外の地面の上に設置される。この固定台２０の上に複数の風船固定棒２１が設けられている。
風船固定棒２１は、固定台２０の上方向（垂直方向）に設けられている。
【０１０２】
風船固定棒２１は、１本だけでもよい。
【０１０３】
風船固定棒２１の先端には、図７〜１３に記載の風船割り遊戯具２２が設置される。なお、風船割り遊戯具２２は、必ずしも風船固定棒２１に先端に設置される必要はなく、当該風船固定棒２１の途中に設けられてもよい。また、設置の方向も風船挿入孔５０が天井方向を向いていなくてもよく、風船固定棒２１の側面に設置されてもよい。
【０１０４】
風船割り遊戯具２２は、風船固定棒２１から落下しないように、テープで風船固定棒２１に固定される。
【０１０５】
風船固定棒２１への固定の方法は、テープでなくてもよい。風船割り遊戯具２２の先端にネジ部を設けて風船固定棒２１にネジ部をねじ込んで固定してもよい。
【０１０６】
風船割り遊戯具２２には、風船が膨らまされた状態で収納されている、
【０１０７】
図１５には、遊戯用飛行体５００が記載されている。本発明の実施の一形態に係る遊戯用飛行体５００は、遠隔操作可能なドローンを用いている。ドローンは、遠隔操作により無人で飛行可能なマルチコプターとして公知である。ドローンには使用目的に応じて各種のものがあるが、本発明の風船割り遊戯具は、ドローンを遠隔操作しながらの風船割りを競うものであるから、ドローンの中でも特に、趣味として楽しむためのホビー用のドローンが適している。
【０１０８】
図１５の遊戯用飛行体５００は、ドローンの翼部分を押圧部として利用している。しかし、ドローン５００の翼部分に板状部材を設けるなど、遊戯用飛行体５００に押圧部材を設けて押圧部としてもよい。
【０１０９】
２人以上プレーヤが遊戯用飛行体５００を操作し、風船割り遊戯具２２の被押圧部に押圧部を当てることで風船が割れる。割った風船の数の多さで勝者を決める。
【０１１０】
また、１人ずつ風船割りを行い、風船を割るまでにタイムを競ってもよい。
【０１１１】
また、遊戯用飛行体５００に風船割り遊戯体２２を取り付けて、２人以上のプレーヤーで風船を割る空中戦を行ってもよい。
【０１１２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の実施の形態は、その目的及び構成等に特に矛盾や問題がない限り、互いの技術を流用して組み合わせることが可能である。
【符号の説明】
【０１１３】
１    空中風船割り遊戯具
２    ドローン
３    取付部
４    風船
５    容器
６    被押圧部（蓋）
７    風船割り部材（進退部材）
８    押圧部
９    緩衝材
１０  風船挿入孔
１３  押圧部（環状凸部）
１５  風船固定部
２０  固定台
２１  風船固定棒
２２  風船割り遊戯具２２
２３  ２３０  ３３０  容器（ベルト）
２４  ２４０  ３４０  被押圧部
２４Ａ被押圧部表面
２５  ２５０  ３５０風船割り部材
３０  取付部
５０  風船取付穴
６０、６００、７００  風船割り部
２３０Ａ  ３３０Ａ  孔
２７０  シリコンスイッチ
２８０  ３８０  蓋体
３７０  筒体        
３９０  ばね
５００  遊戯用飛行体（ドローン）
【図１】
2020184656.tif 000003
【図２】
2020184656.tif 000004
【図３】
2020184656.tif 000005
【図４】
2020184656.tif 000006
【図５】
2020184656.tif 000007
【図６】
2020184656.tif 000008
【図７】
2020184656.tif 000009
【図８】
2020184656.tif 000010
【図９】
2020184656.tif 000011
【図１０】
2020184656.tif 000012
【図１１】
2020184656.tif 000013
【図１２】
2020184656.tif 000014
【図１３】
2020184656.tif 000015
【図１４】
2020184656.tif 000016
【図１５】
2020184656.tif 000017
【国際調査報告】
2020184656.tif 000018
2020184656.tif 000019
2020184656.tif 000020
2020184656.tif 000021
2020184656.tif 000022